【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
複数の色材により記録材に画像を形成する画像形成装置であって、
前記複数の色材で形成する各画像に対応する画像データを変換した変換データに基づき、記録材に付着させる各色材の面積に関する値を判定する判定手段と、
前記判定手段が判定した各色材の面積に関する値に基づき、各色材それぞれの重なりを検出する検出手段と、
を備えていることを特徴とする画像形成装置。
【請求項２】
前記検出手段は、記録材に形成する画像を分割した複数のエリアの各エリアについて、前記判定手段が判定した各色材の面積に関する値に基づき色材の重なりを検出することを特徴とする請求項１に記載の画像形成装置。
【請求項３】
前記判定手段は、主走査方向において第１の長さであり、かつ、副走査方向において第２の長さの範囲それぞれについて、各色材の面積に関する値を判定し、
前記第１の長さは前記各エリアの主走査方向の長さ以下であり、かつ、前記第２の長さは前記各エリアの副走査方向の長さ以下であることを特徴とする請求項２に記載の画像形成装置。
【請求項４】
前記判定手段は、前記範囲において色材を付着させる画素数に基づく値を、当該範囲における当該色材の面積に関する値とすることを特徴とする請求項３に記載の画像形成装置。
【請求項５】
前記判定手段は、前記範囲において色材を付着させる画素数を量子化した値を、当該範囲における当該色材の面積に関する値とすることを特徴とする請求項３に記載の画像形成装置。
【請求項６】
前記検出手段は、エリア内の前記判定手段が判定した複数の範囲それぞれの色材の面積に関する値の最大値を、当該エリアにおける当該色材の面積に関する値として色材の重なりを検出することを特徴とする請求項４又は５に記載の画像形成装置。
【請求項７】
各エリアでの各色材の面積に関する値を保持する第１保持手段をさらに備えており、
前記検出手段は、各エリアにおける各色材の面積に関する値を前記第１保持手段に保持することを特徴とする請求項６に記載の画像形成装置。
【請求項８】
主走査方向の所定数のラインの画素について各色材が付着するか否かを示すデータを保持する第２保持手段をさらに備えており、
前記所定数のラインに対応する副走査方向の長さは前記第２の長さに対応することを特徴とする請求項３から７のいずれか１項に記載の画像形成装置。
【請求項９】
前記判定手段は、前記主走査方向の所定数のラインに対応する画像データから、前記所定数のラインの画素について各色材が付着するか否かを示すデータを前記第２保持手段に保持し、前記第２保持手段が保持するデータに基づき、前記主走査方向の所定数のラインに含まれる各範囲についての各色材の面積に関する値を判定することを特徴とする請求項８に記載の画像形成装置。
【請求項１０】
前記検出手段は、少なくとも２つの色材が付着するエリアを、色材の重なりが存在するエリアとして検出することを特徴とする請求項２から９のいずれか１項に記載の画像形成装置。
【請求項１１】
前記検出手段は、少なくとも２つの色材が付着し、かつ、付着する面積に関する値が閾値以上の少なくとも１つの色材が存在するエリアを、色材の重なりが存在するエリアとして検出することを特徴とする請求項２から９のいずれか１項に記載の画像形成装置。
【請求項１２】
前記検出手段は、面積に関する値が閾値以上の少なくとも２つの色材が存在するエリアを、色材の重なりが存在するエリアとして検出することを特徴とする請求項２から９のいずれか１項に記載の画像形成装置。
【請求項１３】
前記検出手段が検出する色材の重なりに応じて画像形成条件を制御する制御手段をさらに備えていることを特徴とする請求項２から１２のいずれか１項に記載の画像形成装置。
【請求項１４】
前記制御手段が制御する画像形成条件は、記録材に付着させた色材を記録材に定着させる定着温度であることを特徴とする請求項１３に記載の画像形成装置。
【請求項１５】
前記制御手段は、エリアの各色材の面積に関する値の合計値が大きくなると、前記エリアの定着温度を高くすることを特徴とする請求項１４に記載の画像形成装置。
【請求項１６】
前記制御手段が制御する画像形成条件は、各色材で形成した像を記録材又は像担持体に重ねて転写する際の転写バイアスであることを特徴とする請求項１３に記載の画像形成装置。
【請求項１７】
前記制御手段は、所定の色材を転写する際のエリアの転写バイアスを、当該エリアの前記所定の色材の面積に関する値、及び、当該エリアの前記所定の色材を転写する前に転写された色材の面積に関する値と、当該エリアと隣接する所定のエリアの前記所定の色材の面積に関する値、及び、前記所定のエリアの前記所定の色材を転写する前に転写された色材の面積に関する値と、に基づいて決定することを特徴とする請求項１６に記載の画像形成装置。
【請求項１８】
前記判定手段は、前記変換データの全体を対象として前記判定を行うことを特徴とする請求項１から１７のいずれか１項に記載の画像形成装置。
【請求項１９】
前記各色材の面積に関する値を判定するためのエリアは、複数のドットからなるエリアであることを特徴とする請求項１から１８のいずれか１項に記載の画像形成装置。
【請求項２０】
前記変換データは、前記画像データがハーフトーン処理された後のデータであることを特徴とする請求項１から１９のいずれか１項に記載の画像形成装置。
【請求項２１】
前記検出手段は、記録材の片面に前記複数の色材で形成される画像における、各色材の重なりを検出することを特徴とする請求項１から２０のいずれか１項に記載の画像形成装置。
【請求項２２】
前記検出手段は、前記判定手段が判定した各色材の面積に関する値に基づき、複数の色材のうち重なり合っている色材の数を検出することを特徴とする請求項１から２１のいずれか１項に記載の画像形成装置。
【請求項２３】
前記検出手段は、前記判定手段が判定した各色材の面積に関する値に基づき、複数の色材のうちいずれの色の色材が重なり合っているかを検出することを特徴とする請求項１から２２のいずれか１項に記載の画像形成装置。
【請求項２４】
複数の色材で形成する各画像に対応する画像データを変換した変換データに基づき、記録材に付着させる各色材の面積に関する値を判定する判定手段と、
前記判定手段が判定した各色材の面積に関する値に基づき、各色材それぞれの重なりを検出する検出手段と、
を備えていることを特徴とする画像処理装置。
【請求項２５】
判定手段が、複数の色材で形成する各画像に対応する画像データを変換した変換データに基づき、記録材に付着させる各色材の面積に関する値を判定する判定工程と、
検出手段が、前記判定工程で判定した各色材の面積に関する値に基づき、各色材それぞれの重なりを検出する検出工程と、
を含むことを特徴とする画像処理方法。
【請求項２６】
複数の色材により記録材に画像を形成する画像形成装置であって、
前記複数の色材で形成する各画像に対応する画像データから、記録材に付着させる各色材の面積に関する値を判定する判定手段と、
前記判定手段が判定した各色材の面積に関する値に基づき色材の重なりを検出する検出手段と、
を備えており、
前記判定手段は、前記画像データの全体を対象として、前記判定を行うことを特徴とする画像形成装置。
【請求項２７】
複数の色材で形成する各画像に対応する画像データから、記録材に付着させる各色材の面積に関する値を判定する判定手段と、
前記判定手段が判定した各色材の面積に関する値に基づき色材の重なりを検出する検出手段と、
を備えており、
前記判定手段は、前記画像データの全体を対象として、前記判定を行うことを特徴とする画像処理装置。
【請求項２８】
判定手段が、複数の色材で形成する各画像に対応する画像データから、記録材に付着させる各色材の面積に関する値を判定する判定工程と、
検出手段が、前記判定工程で判定した各色材の面積に関する値に基づき色材の重なりを検出する検出工程と、
を含み、
前記判定工程において、前記画像データの全体を対象として、前記判定を行うことを特徴とする画像処理方法。
【手続補正２】
【補正対象書類名】明細書
【補正対象項目名】０００６
【補正方法】変更
【補正の内容】
【０００６】
本発明の一側面によると、画像形成装置は、複数の色材により記録材に画像を形成する画像形成装置であって、前記複数の色材で形成する各画像に対応する画像データを変換した変換データに基づき、記録材に付着させる各色材の面積に関する値を判定する判定手段と、前記判定手段が判定した各色材の面積に関する値に基づき、各色材それぞれの重なりを検出する検出手段と、を備えていることを特徴とする。